(57)【特許請求の範囲】
【請求項１】
直径が１０ｍｍ〜５０ｍｍである半円状の切れ目が、該切れ目の両端部を結ぶ線分方向に複数個配列され、かつ該配列が多段に形成されてなる布帛であって、かつ布帛裏面に樹脂がコーティングまたはラミネートされている布帛Ａが、該線分方向に弛ませ、かつ布帛Aの弛み率が２０〜８０％であるような状態でメッシュ地Ｂに部分的に固定されてなる偽装用基布。
【請求項２】
布帛Ａとメッシュ地Ｂとの固定位置は、布帛Ａの切れ目と該切れ目の両端部を結ぶ線分で囲まれる領域の外側に存在しており、かつ２ｃｍ〜２０ｃｍ間隔で固定されてなる請求項１に記載の偽装用基布。
【請求項３】
切れ目の線分方向における配列パターンが、切れ目一個毎にその形状が１８０°回転した状態で配列され、しかも各切れ目の端部が、隣り合う切れ目の一端と他端との間に位置している請求項１または２に記載の偽装用基布。
【請求項４】
布帛Ａの表面に４色の迷彩柄がプリントされており、かつそれらの色がライトグリーン、ダークグリーン、ブラウン、ブラックである請求項１〜３のいずれか１項に記載の偽装用基布。
【請求項５】
請求項１〜４のいずれか１項に記載の基布から構成される偽装用品。
【請求項６】
頭部用、胴体用、腕部用及び脚部用に分離可能に形成されている衣類である請求項５に記載の偽装用品。
【発明の詳細な説明】
【０００１】
【発明の属する技術分野】
本発明は、赤外線スコープや暗視カメラ等によっても認知されにくい偽装用基布に関し、また戦闘服等の上に簡単に装着可能な偽装用衣類に関する。
【０００２】
【従来の技術】
従来の戦闘服は、可視光線領域については、４色の迷彩柄を生地表面にプリントすることよって植物との識別がしにくいものが得られていた。近赤外線領域についても、迷彩に使用する顔料の反射率を制御したものを用いることで自然界に近似させたものが知られていた。しかしながら、遠赤外線を検知する赤外線カメラが軍事用に用いられつつある現在では、従来の偽装技術では効果がほとんど無く、有効な手段が講じられていなかった。
【０００３】
【発明が解決しようとする課題】
本発明の目的は、上記の従来の課題を解決しようとするものであり、赤外線カメラなどによっても視認されにくい偽装用の基布を提供することであり、またかかる基布を用いて、装着が容易な偽装用の衣類を提供することである。
【０００４】
【課題を解決するための手段】
すなわち、本発明は、直径が１０ｍｍ〜５０ｍｍである半円状の切れ目が、該切れ目の両端部を結ぶ線分方向に複数個配列され、かつ該配列が多段に形成されてなる布帛であって、かつ布帛裏面に樹脂がコーティングまたはラミネートされている布帛Ａが、該線分方向に弛ませ、かつ布帛Aの弛み率が２０〜８０％であるような状態でメッシュ地Ｂに部分的に固定されてなる偽装用基布である。
【０００５】
【発明の実施の形態】
本発明は、特定の切れ目を入れた布帛Ａをメッシュ地Ｂに固定して偽装用基布とするものであるが、布帛Ａをメッシュ地Ｂに固定する際に、布帛Ａを特定の方向に弛ませた状態でメッシュ地Ｂに部分的に固定すると、布帛Ａの切れ目の部分が開口した状態でメッシュ地Ｂに固定されるため、切れ目の線に囲まれている生地部分が布帛面から盛り上がり、例えば図１の写真に示すようなリーフ状の構造が形成される点に特徴を有するものである。そして、かかるリーフ状の構造をもつ偽装用基布を用いて衣類とし戦闘服などの衣服の上に装着した場合、リーフ状の構造により、下に着ている戦闘服への外気の流通が非常に良好であり、人体からの熱伝導、熱輻射による温度上昇を抑制でき、環境の温度に馴染みやすく、遠赤外線を検知する赤外線カメラによっても検知されにくいという優れた特徴をもつものである。
【０００６】
このようなリーフ状の構造を形成させるためには、前述のように、円弧状の切れ目および／または角形状の切れ目が、該切れ目の両端部を結ぶ線分方向に複数個配列され、かつ該配列方向とほぼ直交する方向に該切れ目群が多段に形成されてなる布帛Ａを該線分方向に弛ませた状態でメッシュ地Ｂに部分的に固定することが重要である。その際の布帛Ａを弛ませる程度は、該切れ目の両端部を結ぶ線分方向に２０〜８０%の弛み率となるように弛ませながらメッシュ地Ｂに固定することが必要である。また、着用したときの動きやすさの点から、５０〜８０％になるように弛ませてメッシュ地Ｂに取り付けるとより好ましい。
【０００７】
次に、本発明において、布帛Ａにおける切れ目の大きさは、可視光線領域での迷彩を得る点からは小さい方が好ましいが、熱が蓄積されやすく赤外線放射抑制の点からは小さすぎるのは好ましくない。したがって切れ目の両端部の最短距離として表される大きさ（以下、切れ目の大きさＸと略称することもある）が１０ｍｍ〜５０ｍｍ程度であることが好ましい。切れ目の大きさＸが５０ｍｍより大きくなると、切れ目によって形成されるリーフ構造が裏返りやすく、可視光線領域での迷彩を得ることも難しく、空間が大きくなりすぎて赤外線放射抑制の点からは好ましくない。一方、切れ目の大きさＸが１０ｍｍより小さくなると、可視光線領域での迷彩を得ることはできるが、適度な空間の形成が困難であり赤外線放射抑制の点からは好ましくない。赤外線放射量を抑えて可視光線領域での迷彩を得るためには、有効なリーフ構造を形成するための切れ目の大きさは、直径２０ｍｍ〜５０ｍｍの半円状であることが最も好ましい。
【０００８】
本発明で使用される布帛Ａの切れ目の形状は、円弧状の切れ目または角形状の切れ目であることが重要である。円弧状の切れ目とは、例えば上記した大きさ（直径）を有する図２の(イ)に示すような半円状の切れ目や、楕円状の切れ目などが挙げられる。また角形状の切れ目とは図２の(ロ)や(ハ)に見られるような三角形や四角形などの多角形状に由来する形状の切れ目を意味するものである。ただし、偽装用基布としてリーフ状の構造を形成しやすいという観点からは、円弧状の切れ目、特に半円状の切れ目を形成することが好ましい。ここで半円状とは、幾何学的にいう厳密な意味での半円を指すものではなくほぼ半円状であればよいという意味である。これらの切れ目の形状は２種類以上のパターンを併用しても差支えないが、リーフ状構造の形成の均一性という点からは図３に示すような一定の形状の切れ目が規則的に配列されている方が好ましい。
なお、本発明でいう切れ目の形状とは、布帛Ａをいずれの方向にも伸長したり、弛ませたりすることなく、布帛Ａを平面上に自然においた場合に観察される切れ目の形状を意味するものである。
また、本発明においては、布帛Ａに多数の切れ目を入れるため、切れ目からの糸の解れが生じやすくなるが、布帛の裏面に樹脂をコーティング又はラミネートすることにより解れを抑制することができるので好ましい。また、このように樹脂層を形成することにより、布帛にハリコシが付与されるので、リーフ構造も形成されやすくなるという長所も有する。
【０００９】
本発明においては、布帛Ａをメッシュ地Ｂに固定することが必須であるが、メッシュ地Ｂについては、公知のメッシュ組織を有する織編物を使用することができる。ただし、後述するように、布帛Ａをメッシュ地Ｂに固定する際に使用するプラスチック製のリベットのサイズにあうメッシュの目合いを有していないと、布帛Ａをメッシュ地Ｂに固定できないか、固定できても容易にリベットが脱落してしまう。また、メッシュ地Ｂの目合いが詰まりすぎていると、外気の流通を妨げる可能性があるので注意が必要である。
【００１０】
布帛Ａをメッシュ地Ｂに取り付ける手段は、特に限定されず、例えば、糸で縫製したり、接着剤を用いたり、熱接着させたり、面ファスナーにより固定することができるが、リベットを用いて取り付ける手法が最も簡便である。固定数(固定間隔)は、布帛Ａの切れ目の大きさや配列状態によって最適なリベットの固定数は違うが、大きさが直径４０ｍｍの半円状の切れ目を図３のように配列させる場合であれば、タテ、ヨコ方向とも８ｃｍ間隔に１個固定すれば、赤外線放射量を抑えて可視光線領域での迷彩を得ることができる。リベットによる固定箇所が多ければメッシュ地Ｂとの一体性はよいが、多すぎるとリーフ構造の効果が低減するので３ｃｍ以下の間隔で固定することが好ましい。一方、リベットの個数が１６ｃｍ間隔に１個より少なくなるとメッシュ地Ｂとの一体性が悪くなる。
【００１１】
次に、本発明の基布は偽装用であることから、布帛Ａの表面に４色の迷彩柄が施されていることが好ましく、色の配分としては、春夏用には、例えば、意匠登録第1019503号によって配分し、具体的には、ライトグリーン３０％、ダークグリーン４０％、ブラウン２０％、ブラック１０％の面積比で顔料プリントを施したものが好ましく、秋冬用には、例えば、意匠登録第1019502号によって配分し、具体的には、ライトグリーン３０％、ダークグリーン２０％、ブラウン４０％、ブラック１０％の面積比で顔料プリントを施したものであることが好ましい。着色する手段としては、４色の模様を生地表面に付着させればよく、その手法は顔料プリントでも染料プリントでもよく特に限定されない。
【００１２】
このようにプリントされた布帛Ａは、可視光線領域に関しても、近赤外線領域に関しても、非常に検知されにくいものであり、かつリーフ状構造の形成によってベンチレーション機構が作用し、表面温度は人体からの熱伝導、熱輻射による温度上昇を制御でき、環境の温度に馴染みやすく、遠赤外線を検知する赤外線カメラによっても検知されにくい。
【００１３】
プリントする顔料の種類としては、それぞれ色相（Ｈ）、明度（Ｖ）、彩度（Ｃ）は一定の範囲で制御したものを使用することが望ましい。ライトグリーンは、Ｈ＝６．０±１．２Ｙ、Ｖ＝４．２±０．２、Ｃ＝２．０±０．４。ダークグリーンは、Ｈ＝５．５±１．２ＧＹ、Ｖ＝３．２±０．２、Ｃ＝３．０±０．４。ブラウンは、Ｈ＝７．５±１．２ＹＲ、Ｖ＝２．７±０．２、Ｃ＝２．２±０．４。ブラックは、Ｖ＝２．０以下、Ｃ＝０．５以下のものを用いることが好ましい。
【００１４】
【実施例】
以下、実施例により本発明を具体的に説明するが、本発明はこれらにより制限されるものではない。なお、反射率の測定は自記分光光度計ＵＶ３１００（島津製作所）にて赤外線は１０００〜１２００ｎｍの波長、可視光線は６００〜７６０ｎｍの波長にて測定を行った。
【００１５】
実施例１
難燃ビニロン７０％と綿３０％を混用した４０番手の糸をたて糸・よこ糸ともに用い、平織の組織で製織し、解れ防止と布帛の形態を安定にするために、ウレタンをラミネートし、質量１３７ｇ／ｍ２、厚さ０．２１ｍｍの布帛を得、ついで４色顔料をライトグリーン３０％、ダークグリーン４０％、ブラウン２０％、ブラック１０％の面積比で布帛の表面に迷彩柄として意匠登録第1019503号（春夏用）によって配分し顔料プリントを施して布帛Ａ用の生地とした。
【００１６】
次に、直径３０ｍｍの半円状の切れ目を図３のように交互に向きが反転するように布帛Ａに切れ目を入れた。
【００１７】
得られた布帛Ａを、半円状切れ目の両端部を結ぶ線分方向(ヨコ方向)に弛みが５０％になるように、また該線分方向に直交する方向（タテ方向）に伸長率が１２５％となるようにして、ＰＯＭ樹脂製のリベット（直径７．６ｍｍ、福井鋲螺株式会社製）を用いてナイロン製の黒色メッシュ地Ｂ(目合い:約７ｍｍ)に取り付けた。
リベットの固定は図３に示すような位置で、タテ、ヨコ方向とも８ｃｍ間隔に１個の割合で固定してた。
【００１８】
このようにして得られた偽装用基布を、頭部用、胴体用（腕部用）、及び脚部用として縫製し偽装用衣類のセットを作成した。それぞれの重量は、頭部用２００ｇ、胴体用８７０ｇ、脚部用５００ｇであった。
【００１９】
このようにして得られた偽装用衣類は、軽量であり、短時間で装着可能であり、活動性に問題なかった。また、暗視カメラとして、日本アビオニクス社製（ＩＲ-２０）を用い、屋外で視認試験を行ったが殆ど視認できなかった。また、１００ｍ離れた位置で樹木をバックに目視試験を行ったが殆ど視認することができなかった。結果を表１に示す。
【００２０】
【表１】
0003973930.tif 000002
【００２１】
実施例２
弛み率を３０％とし、伸長率を１００％とすること以外は実施例１と同様にして偽装用の衣類を作成した。評価結果を表１に示す。
【００２２】
実施例３
切れ目を直径１５ｍｍの半円状にして、リベットを、タテ、ヨコ方向とも８ｃｍ間隔に２個用いてメッシュ地Ｂに取り付けること以外は実施例１と同様にして偽装用の衣類を作成した。評価結果を表１に示す。
【００２３】
実施例４
布帛Ａとして、格子織の組織で製織し、解れ防止と生地の形態を安定にするために、ウレタンをラミネートして質量２７５ｇ／ｍ２、厚さ０．３８mmの布帛とすること以外は実施例１と同様にして、偽装用の衣類を作成した。評価結果を表１に示す。
【００２４】
比較例１
布帛Ａをヨコ方向には１００％になるように伸長させて、タテ方向には３０％になるように弛ませてメッシュ地Ｂに取り付けること以外は実施例１と同様にして偽装用の衣類を作成した。その結果、１００ｍ離れた位置で樹木をバックに目視試験を行ったところ殆ど視認できなかったが、暗視カメラとして、日本アビオニクス社製（ＩＲ-２０）を用い、屋外で視認試験を行ったところ容易に視認され、赤外線放射量を抑制する効果が不良であった。結果を表１に示す。
【００２５】
比較例２
切れ目を直径６０ｍｍの半円状として、メッシュ地Ｂに取り付けること以外は実施例１と同様にして偽装用の衣類を作成した。その結果、１００ｍ離れた位置で樹木をバックに目視試験を行ったところ殆ど視認できなかったが、暗視カメラとして、日本アビオニクス社製（ＩＲ-２０）を用い、屋外で視認試験を行ったところ容易に視認され、赤外線放射量を抑制する効果が不良であった。結果を表１に示す。
【００２６】
比較例３
布帛Ａに切れ目を入れずに、メッシュ地Ｂに取り付けること以外は実施例１と同様にして偽装用の衣類を作成した。その結果、１００ｍ離れた位置で樹木をバックに目視試験を行ったところ殆ど視認できなかったが、暗視カメラとして、日本アビオニクス社製（ＩＲ-２０）を用い、屋外で視認試験を行ったところ容易に視認され、赤外線放射量を抑制する効果が不良であった。結果を表１に示す。
【００２７】
【発明の効果】
本発明の偽装用基布は、暗闇において赤外線スコープや暗視カメラ等によっても確認しづらく、昼間１００ｍ離れた位置で樹木をバックにしても殆ど視認することが困難な基布である。
【図面の簡単な説明】
【図１】  本発明の偽装用基布のリーフ状構造を説明するための外観写真
【図２】  布帛Ａに形成される切れ目の形状の例を示す平面図
【図３】  布帛Ａに形成された切れ目の配列状態とリベットの固定位置を示す平面図
【図１】
0003973930.tif 000003
【図２】
0003973930.tif 000004
【図３】
0003973930.tif 000005